(57)【要約】【課題】  情報を隠蔽可能とすることができ、かつ、発送処理時や送付途中において嵩張らず、無駄な料金が発生することがない。【解決手段】  はがき紙片１０の一方の面にてはがき紙片１０の長手方向における中央線を挟んで一方の側に設けられ、往信時の宛先情報が記載される宛先情報記載部１１と、宛先情報記載部１１と同一面上にて中央線を挟んで他方の側に設けられ、返信時の宛先情報が記載される宛先情報記載部１２と、宛先情報記載部１１，１２と同一面上にて宛先情報記載部１１と宛先情報記載部１２との間に中央線を跨って設けられ、情報が付与される情報付与領域１５とを有し、宛先情報記載部１１あるいは宛先情報記載部１２と情報付与領域１５とを覆うようにはがき紙片１０上に隠蔽片２０が貼着される。【選択図】図１
2006347105.tif 000002
【特許請求の範囲】
【請求項１】
はがき紙片上に隠蔽片が剥離及び再貼着が可能に貼着される往復用送付体であって、
前記はがき紙片は、
一方の面にて当該はがき紙片を長手方向に分離する分離線を挟んで一方の側に設けられ、往信時の宛先情報が記載される第１の宛先情報記載部と、
前記第１の宛先情報記載部と同一面上にて前記分離線を挟んで他方の側に設けられ、返信時の宛先情報が記載される第２の宛先情報記載部と、
前記第１及び第２の宛先情報記載部と同一面上にて前記第１の宛先情報記載部と前記第２の宛先情報記載部との間に前記分離線を跨って設けられ、情報が付与される情報付与領域とを有し、
前記隠蔽片は、前記第１の宛先情報記載部あるいは前記第２の宛先情報記載部と前記情報付与領域とを覆うように前記はがき紙片上に貼着される往復用送付体。
【請求項２】
請求項１に記載の往復用送付体において、
前記情報付与領域は、
当該往復用送付体の往信時に情報が記載される情報記載領域と、
当該往復用送付体の返信時に情報を記入するための情報記入領域との少なくともいずれか一方を有することを特徴とする往復用送付体。
【発明の詳細な説明】
【技術分野】
【０００１】
本発明は、往復用送付体に関し、印字あるいは記入された情報を隠蔽可能な往復用送付体に関する。
【背景技術】
【０００２】
従来より、往信用はがきと返信用はがきとが連接してなる往復はがきは、結婚式の二次会等のイベントへの招待状や、商品やサービスの注文書等、多くの用途に利用されている。このような往復はがきにおいては、往信用はがきの表面に送付先の住所や氏名等の宛先情報が記載され、その裏面に、送付元から送付先に伝達する情報が記載される。また、返信用はがきの表面に送付元の住所や氏名等の宛先情報が記載され、その裏面には、送付先から送付元に伝達する情報を記入するための領域が設けられている。
【０００３】
このように構成された往復はがきは、送付先の住所や氏名等の宛先情報が表出するように往信用はがきと返信用はがきとの連接部分にて折り畳まれて送付先に送付され、その後、送付先において、往信用はがきと返信用はがきとが連接部分にて切り離されるとともに、送付先から送付元に伝達する情報が返信用はがきの裏面に記入され、返信用はがきのみが送付元に返信される。
【０００４】
近年、このような往復はがきにおいて、往信用はがきや返信用はがきに記載された情報を隠蔽可能とするものが考えられている。例えば、往信用はがきの情報が印字された領域上に隠蔽片を剥離可能に貼着しておき、その後、この往復はがきの送付先において、返信用はがきの情報記入領域に情報を記入した後に隠蔽片を往信用はがきから剥離して情報記入領域上に貼着して返信するものが考えられている（例えば、特許文献１参照。）。このような構造とすることにより、往信用はがきに印字された情報と返信用はがきに記入された情報とを隠蔽することが可能となる。
【特許文献１】特開平１１−１０８０号公報
【発明の開示】
【発明が解決しようとする課題】
【０００５】
しかしながら、上述したような隠蔽片を用いたものも含めて従来の往復はがきにおいては、往信用はがきと返信用はがきとが連接しており、往信用はがきと返信用はがきとの連接部分にて折り畳まれた状態で送付先に送付されるため、特に、送付通数が多い場合等、発送処理時や送付途中において往復はがきが嵩張ってしまうという問題点がある。
【０００６】
また、返信用はがきが返信されてくる可能性が低い場合であっても、往復はがきとしての料金が発生してしまい、往復はがきの送付元にてその料金を負担しなければならないという問題点がある。
【０００７】
本発明は、上述したような従来の技術が有する問題点に鑑みてなされたものであって、情報を隠蔽可能とすることができ、かつ、発送処理時や送付途中において嵩張らず、無駄な料金が発生することのない往復用送付体を提供することを目的とする。
【課題を解決するための手段】
【０００８】
上記目的を達成するために本発明は、
はがき紙片上に隠蔽片が剥離及び再貼着が可能に貼着される往復用送付体であって、
前記はがき紙片は、
一方の面にて当該はがき紙片を長手方向に分離する分離線を挟んで一方の側に設けられ、往信時の宛先情報が記載される第１の宛先情報記載部と、
前記第１の宛先情報記載部と同一面上にて前記分離線を挟んで他方の側に設けられ、返信時の宛先情報が記載される第２の宛先情報記載部と、
前記第１及び第２の宛先情報記載部と同一面上にて前記第１の宛先情報記載部と前記第２の宛先情報記載部との間に前記分離線を跨って設けられ、情報が付与される情報付与領域とを有し、
前記隠蔽片は、前記第１の宛先情報記載部あるいは前記第２の宛先情報記載部と前記情報付与領域とを覆うように前記はがき紙片上に貼着される。
【０００９】
上記のように構成された本発明においては、往復用送付体の送付先に送付される場合は、第２の宛先情報記載部と情報付与領域とを覆うように隠蔽片がはがき紙片に貼着されて送付される。この状態では、返信時の宛先情報と情報付与領域に付与された情報とが隠蔽片によって隠蔽され、往信時の宛先情報が表出しているため、情報付与領域に付与された情報が外部から視認不可能な状態で往復用送付体の送付先に送付されることになる。この往復用送付体が送付先に届いた後、はがき紙片から隠蔽片が剥離されると、情報付与領域に付与された情報が表出し、往復用送付体の送付先において情報付与領域に付与された情報が認識されることになる。その後、この往復用送付体を送付先から送付元に返信する場合は、はがき紙片から剥離された隠蔽片が第１の宛先情報記載部と情報付与領域とを覆うようにはがき紙片に貼着されて送付される。この状態では、往信時の宛先情報と情報付与領域に付与された情報とが隠蔽片によって隠蔽され、返信時の宛先情報が表出しているため、情報付与領域に付与された情報が外部から視認不可能な状態で往復用送付体が送付元に返信されることになる。
【００１０】
また、前記情報付与領域は、
当該往復用送付体の往信時に情報が記載される情報記載領域と、
当該往復用送付体の返信時に情報を記入するための情報記入領域との少なくともいずれか一方を有することを特徴とする。
【００１１】
このような構成とした場合は、往復用送付体の送付元から送付先に伝達したい情報と、往復用送付体の送付先から送付元に伝達したい情報とが、それぞれ往復用送付体の送付途中において隠蔽片によって隠蔽されることになる。
【００１２】
また、前記はがき紙片は、前記第１及び第２の宛先情報記載部、並びに前記情報付与領域上に、筆記性を具備する第１の貼着手段からなる第１の貼着層が積層され、
前記隠蔽片は、前記はがき紙片との貼着面に、前記第１の貼着手段のみが貼着及び剥離可能な第２の貼着手段からなる第２の貼着層が積層され、
前記第１の貼着手段は、前記第２の貼着手段のみが貼着及び剥離可能である構成とすることも考えられる。
【００１３】
このような構成とした場合は、はがき紙片に積層された第１の貼着層を構成する第１の貼着手段が筆記性を具備するものであるため、第１及び第２の宛先情報記載部、並びに情報付与領域上に情報を付与することができる。また、はがき紙片に積層された第１の貼着層を構成する第１の貼着手段は、隠蔽片に積層された第２の貼着層を構成する第２の貼着手段のみが貼着可能であるため、第１の宛先情報記載部や第２の宛先情報記載部が、隠蔽片が貼着されておらずに表出している状態であっても、はがき紙片が他の紙や樹脂と貼着することがない。また、隠蔽片においても、隠蔽片に積層された第２の貼着層を構成する第２の貼着手段は、はがき紙片に積層された第１の貼着層を構成する第１の貼着手段のみが貼着可能であるため、はがき紙片から剥離された状態において、他の紙や樹脂と貼着することがなく、ごみとして廃棄する場合に、他のごみに貼着したり、手等に貼着したりして廃棄しにくくなってしまうことがない。
【発明の効果】
【００１４】
以上説明したように本発明においては、往信時の宛先情報が記載される第１の宛先情報記載部と、返信時の宛先情報が記載される第２の宛先情報記載部と、第１の宛先情報記載部と第２の宛先情報記載部との間に設けられて情報が付与される情報付与領域とを有するはがき紙片に、第１の宛先情報記載部あるいは第２の宛先情報記載部と情報付与領域とを覆うように隠蔽片が貼着される構成としたため、往信時は、第２の宛先情報記載部と情報付与領域とを覆うように隠蔽片が剥離可能に貼着されて送付され、返信時は、第１の宛先情報記載部と情報付与領域とを覆うように隠蔽片が剥離可能に貼着されて送付されることになり、それにより、情報を隠蔽可能とすることができ、かつ、発送処理時や送付途中において嵩張らない往復用送付体を実現することができる。また、返信用の料金を必ずしも付与しておく必要がないため、返信される可能性が低い場合、返信用の料金を付与しておかなければ無駄な料金が発生することがない。
【００１５】
また、情報付与領域が、往復用送付体の往信時に情報が記載される情報記載領域と、往復用送付体の返信時に情報を記入するための情報記入領域とを有する構成としたものにおいては、往復用送付体の送付元から送付先に伝達したい情報と、往復用送付体の送付先から返信先に伝達したい情報とを、それぞれ往復用送付体の送付途中において隠蔽片によって隠蔽することができる。
【発明を実施するための最良の形態】
【００１６】
以下に、本発明の実施の形態について図面を参照して説明する。
【００１７】
（第１の実施の形態）
図１は、本発明の往復用送付体の第１の実施の形態を示す図であり、（ａ）は表面から見た図、（ｂ）は（ａ）に示したＡ−Ａ’断面図、（ｃ）は（ａ）に示した隠蔽片２０を剥離した状態を示す図である。
【００１８】
本形態は図１に示すように、はがき紙片１０上に隠蔽片２０が剥離及び再貼着が可能に貼着されて構成されている。
【００１９】
はがき紙片１０の隠蔽片２０が貼着される側の面には、往信時の宛先情報が記載される第１の宛先情報記載部１１と、返信時の宛先情報が記載される第２の宛先情報記載部１２と、隠蔽情報が付与される情報付与領域１５とが設けられている。宛先情報記載部１１は、はがき紙片１０の長手方向における中央線を挟んで一方の側に設けられ、宛先情報記載部１２は、はがき紙片１０の長手方向における中央線を挟んで他方の側に設けられている。すなわち、宛先情報記載部１１，１２は、はがき紙片１０の長手方向における中央線を挟んで互いに対向するように設けられている。また、情報付与領域１５は、宛先情報記載部１１と宛先情報記載部１２との間に、はがき紙片１０の長手方向における中央線を跨って設けられており、はがき紙片１０の長手方向における中央線を介して宛先情報記載部１１側が、この往復用送付体１の往信時に情報が記載される情報記載領域１３となり、また、はがき紙片１０の長手方向における中央線を介して宛先情報記載部１２側が、この往復用送付体１の返信時に情報が記入される情報記入領域１４となっている。
【００２０】
また、隠蔽片２０は、ラベル基材２１上に粘着剤２２が塗布されて構成されており、宛先情報記載部１１及び情報付与領域１５あるいは宛先情報記載部１２及び情報記入領域１５を選択的に覆うようにはがき紙片１０上に貼着される。また、この粘着剤２２は、接着力が弱いものであるため、隠蔽片２０は、はがき紙片１０上に剥離及び再貼着が可能に貼着される。
【００２１】
以下に、上記のように構成された往復用送付体１の使用方法について説明する。
【００２２】
図２は、図１に示した往復用送付体１を送付する際の送付元における処理を説明するための図であり、（ａ）は送付元にてはがき紙片１０に隠蔽片２０が貼着される前の状態を示す図、（ｂ）は送付元にてはがき紙片１０に隠蔽片２０が貼着された状態を示す図である。
【００２３】
図１に示した往復用送付体１を送付する場合は、往復用送付体１の送付元において、まず、図２（ａ）に示すように、宛先情報記載部１１に送付先の住所や氏名等の宛先情報１１ａを印字するとともに、宛先情報記載部１２に送付元の住所や氏名等の宛先情報１２ａを印字する。また、情報付与領域１５の情報記載領域１３に、往復用送付体１の送付元から送付先に伝達したい隠蔽情報１３ａを印字する。
【００２４】
その後、図２（ｂ）に示すように、はがき紙片１０の宛先情報記載部１２及び情報付与領域１５を覆うように隠蔽片２０を貼着し、往復用送付体１を送付する。この状態においては、返信時の宛先情報１２ａと情報付与領域１５の情報記載領域１３に印字された隠蔽情報１３ａとが隠蔽片２０によって隠蔽され、往信時の宛先情報１１ａが表出しているため、情報記載領域１３に印字された隠蔽情報１３ａが外部から視認不可能な状態で往復用送付体１の送付先に送付されることになる。
【００２５】
図３は、図１に示した往復用送付体１を送付した際の送付先における処理を説明するための図であり、（ａ）は送付先にてはがき紙片１０から隠蔽片２０が剥離された後の処理を説明するための図、（ｂ）は送付先にてはがき紙片１０に隠蔽片２０が貼着された状態を示す図、（ｃ）は（ｂ）に示したＡ−Ａ’断面図である。
【００２６】
図１に示した往復用送付体１が、図２（ｂ）に示したような状態で送付先に送付され、往復用送付体１の送付先において、はがき紙片１０から隠蔽片２０が剥離されると、図２（ａ）に示したような状態となり、情報記載領域１３に印字された隠蔽情報１３ａが視認可能となる。これにより、往復用送付体１の送付元にて情報記載領域１３に印字された隠蔽情報１３ａが往復用送付体１の送付先に伝達されることになる。なお、隠蔽片２０を構成する粘着剤２２は接着力が弱いものであるため、はがき紙片１０から隠蔽片２０を剥離することができる。
【００２７】
この往復用送付体１を返信する場合は、往復用送付体１の送付先において、まず、図３（ａ）に示すように、情報記入領域１４に、往復用送付体１の送付先から送付元に伝達したい隠蔽情報１４ａを記入する。
【００２８】
その後、図３（ｂ）に示すように、はがき紙片１０の宛先情報記載部１１及び情報付与領域１５を覆うように隠蔽片２０を貼着し、往復用送付体１を送付する。この状態においては、往信時の宛先情報１１ａと情報付与領域１５の情報記載領域１３に印字された隠蔽情報１３ａ及び情報記入領域１４に記入された隠蔽情報１４ａが隠蔽片２０によって隠蔽され、返信時の宛先情報１２ａが表出しているため、情報記載領域１３に印字された隠蔽情報１３ａ及び情報記入領域１４に記入された隠蔽情報１４ａが外部から視認不可能な状態で往復用送付体１の送付元に送付されることになる。なお、隠蔽片２０は、再貼着可能にはがき紙片１０に貼着されていたため、上述したようにはがき紙片１０から剥離した後にはがき紙片１０に再貼着することができる。
【００２９】
図１に示した往復用送付体１が、図３（ｂ）に示したような状態で返信先に送付され、往復用送付体１の送付元において、はがき紙片１０から隠蔽片２０が剥離されると、図３（ａ）に示したような状態となり、情報記入領域１４に印字された隠蔽情報１４ａが視認可能となる。これにより、往復用送付体１の送付先にて情報記入領域１４に印字された隠蔽情報１４ａが往復用送付体１の送付元に伝達されることになる。
【００３０】
このように本形態においては、１つのはがき紙片１０を用いて往信及び返信を可能とし、かつ、１つの隠蔽片２０を用いて、この往復用送付体１の送付元から送付先に伝達したい隠蔽情報１３ａと、往復用送付体１の送付先から送付元に伝達したい隠蔽情報１４ａとの両方を隠蔽することができる。
【００３１】
（第２の実施の形態）
図４は、本発明の往復用送付体の第２の実施の形態を示す図であり、（ａ）は表面から見た図、（ｂ）は（ａ）に示したＡ−Ａ’断面図、（ｃ）は（ａ）に示した隠蔽片１２０を剥離した状態を示す図である。
【００３２】
本形態は図４に示すように、はがき紙片１１０上に隠蔽片１２０が剥離及び再貼着が可能に貼着されて構成されている。
【００３３】
はがき紙片１１０の隠蔽片１２０が貼着される側の面には、往信時の宛先情報が記載される第１の宛先情報記載部１１１と、返信時の宛先情報が記載される第２の宛先情報記載部１１２と、隠蔽情報が付与される情報付与領域１１５とが設けられている。宛先情報記載部１１１は、はがき紙片１１０の長手方向における中央線を挟んで一方の側に設けられ、宛先情報記載部１１２は、はがき紙片１１０の長手方向における中央線を挟んで他方の側に設けられている。すなわち、宛先情報記載部１１１，１１２は、はがき紙片１１０の長手方向における中央線を挟んで互いに対向するように設けられている。また、情報付与領域１１５は、宛先情報記載部１１１と宛先情報記載部１１２との間に、はがき紙片１１０の長手方向における中央線を跨って設けられており、はがき紙片１１０の長手方向における中央線を介して宛先情報記載部１１１側が、この往復用送付体１０１の往信時に情報が記載される情報記載領域１１３となり、また、はがき紙片１１０の長手方向における中央線を介して宛先情報記載部１１２側が、この往復用送付体１０１の返信時に情報が記入される情報記入領域１１４となっている。また、はがき紙片１１０は、ベース基材１１７の隠蔽片１２０が貼着される面に第１の貼着手段となる粘着剤１１６が塗布されることにより第１の貼着層が積層されて構成されている。
【００３４】
また、隠蔽片１２０は、ラベル基材１２１上に第２の貼着手段となる粘着剤１２２が塗布されることにより第２の貼着層が積層されて構成されており、宛先情報記載部１１１及び情報付与領域１１５あるいは宛先情報記載部１１２及び情報記入領域１１５を選択的に覆うようにはがき紙片１１０上に貼着される。
【００３５】
ここで、粘着剤１１６，１２２について詳細に説明する。
【００３６】
粘着剤１１６，１２２は、自己粘着性を有する高分子ポリマー等の同一の材料からなり、手で押し付ける等といった通常の圧力で自己のみが貼着及び剥離可能なものである。すなわち、粘着剤１１６は、粘着剤１２２のみが貼着及び剥離可能なものであり、また、粘着剤１２２は粘着剤１１６のみが貼着及び剥離可能なものであり、それにより、はがき紙片１１０の粘着剤１１６が塗布された面は、隠蔽片１２０の粘着剤１２２が塗布された面とのみ貼着し、他の紙や樹脂とは貼着しない。また、隠蔽片１２０の粘着剤１２２が塗布された面についても、はがき紙片１１０の粘着剤１１６が塗布された面とのみ貼着し、他の紙や樹脂とは貼着しない。このように、粘着剤１１６，１２２としては、常温、常圧において自着性を有し他着性を有さないものが挙げられる。この粘着剤１１６，１２２の一例としては、リカボンドＡＰ−２１７（中央理化製）が挙げられる。また、はがき紙片１１０のベース基材１１７上に粘着剤１１６が塗布されてなる第１の貼着層は筆記性を有するため、はがき紙片１１０に設けられた宛先情報記載部１１１，１１２及び情報記載領域１１３には情報の印字が可能であり、また、情報記入領域１１４には情報の記入が可能となっている。
【００３７】
以下に、上記のように構成された往復用送付体１０１の使用方法について説明する。
【００３８】
図５は、図４に示した往復用送付体１０１を送付する際の送付元における処理を説明するための図であり、（ａ）は送付元にてはがき紙片１１０に隠蔽片１０２が貼着される前の状態を示す図、（ｂ）は送付元にてはがき紙片１１０に隠蔽片１０２が貼着された状態を示す図である。
【００３９】
図４に示した往復用送付体１０１を送付する場合は、往復用送付体１０１の送付元において、まず、図５（ａ）に示すように、宛先情報記載部１１１に送付先の住所や氏名等の宛先情報１１１ａを印字するとともに、宛先情報記載部１１２に送付元の住所や氏名等の宛先情報１１２ａを印字する。また、情報付与領域１１５の情報記載領域１１３に、往復用送付体１０１の送付元から送付先に伝達したい隠蔽情報１１３ａを印字する。この際、上述したように、はがき紙片１１０のベース基材１１７上に塗布された粘着剤１１６は筆記性を有するものであるため、宛先情報記載部１１１，１１２には宛先情報１１１ａ，１１２ａを印字することができ、また、情報記載領域１１３には隠蔽情報１１３ａを印字することができる。
【００４０】
その後、図５（ｂ）に示すように、はがき紙片１１０の宛先情報記載部１１２及び情報付与領域１１５を覆うように隠蔽片１２０を貼着し、往復用送付体１０１を送付する。この状態においては、返信時の宛先情報１１２ａと情報付与領域１１５の情報記載領域１１３に印字された隠蔽情報１１３ａとが隠蔽片１２０によって隠蔽され、往信時の宛先情報１１１ａが表出しているため、情報記載領域１１３に印字された隠蔽情報１１３ａが外部から視認不可能な状態で往復用送付体１０１の送付先に送付されることになる。なお、はがき紙片１１０のベース基材１１７に塗布された粘着剤１１６と隠蔽片１２０のラベル基材１２１に塗布された粘着剤１２２とは互いにのみ貼着が可能なものであるため、はがき紙片１１０上に隠蔽片１２０を貼着することができる。
【００４１】
図６は、図４に示した往復用送付体１０１を送付した際の送付先における処理を説明するための図であり、（ａ）は送付先にてはがき紙片１１０から隠蔽片１２０が剥離された後の処理を説明するための図、（ｂ）は送付先にてはがき紙片１１０に隠蔽片１２０が貼着された状態を示す図、（ｃ）は（ｂ）に示したＡ−Ａ’断面図である。
【００４２】
図４に示した往復用送付体１０１が、図５（ｂ）に示したような状態で送付先に送付され、往復用送付体１０１の送付先において、はがき紙片１１０から隠蔽片１２０が剥離されると、図５（ａ）に示したような状態となり、情報記載領域１１３に印字された隠蔽情報１１３ａが視認可能となる。これにより、往復用送付体１０１の送付元にて情報記載領域１１３に印字された隠蔽情報１１３ａが往復用送付体１０１の送付先に伝達されることになる。なお、はがき紙片１０のベース基材１１７に塗布された粘着剤１１６と隠蔽片１２０のラベル基材１２１に塗布された粘着剤１２２とは互いに剥離可能なものであるため、はがき紙片１１０から隠蔽片１２０を剥離することができる。
【００４３】
この往復用送付体１０１を返信する場合は、往復用送付体１０１の送付先において、まず、図６（ａ）に示すように、情報記入領域１１４に、往復用送付体１０１の送付先から送付元に伝達したい隠蔽情報１１４ａを記入する。この際、上述したように、はがき紙片１１０のベース基材１１７上に塗布された粘着剤１１６は筆記性を有するものであるため、情報記載領域１１４には隠蔽情報１１４ａを記入することができる。
【００４４】
その後、図６（ｂ）に示すように、はがき紙片１０１の宛先情報記載部１１１及び情報付与領域１１５を覆うように隠蔽片１２０を貼着し、往復用送付体１０１を送付する。この状態においては、往信時の宛先情報１１１ａと情報付与領域１１５の情報記載領域１１３に印字された隠蔽情報１１３ａ及び情報記入領域１１４に記入された隠蔽情報１１４ａが隠蔽片１２０によって隠蔽され、返信時の宛先情報１１２ａが表出しているため、情報記載領域１１３に印字された隠蔽情報１１３ａ及び情報記入領域１１４に記入された隠蔽情報１１４ａが外部から視認不可能な状態で往復用送付体１０１の送付元に送付されることになる。なお、はがき紙片１１０のベース基材１１７に塗布された粘着剤１１６と隠蔽片１２０のラベル基材１２１に塗布された粘着剤１２２とは互いに再貼着が可能なものであるため、上述したようにはがき紙片１１０から隠蔽片１２０を剥離した後にこの隠蔽片１２０をはがき紙片１１０に再貼着することができる。
【００４５】
図４に示した往復用送付体１０１が、図６（ｂ）に示したような状態で送付元に送付され、往復用送付体１０１の送付元において、はがき紙片１１０から隠蔽片１２０が剥離されると、図６（ａ）に示したような状態となり、情報記入領域１１４に印字された隠蔽情報１１４ａが視認可能となる。これにより、往復用送付体１０１の送付先にて情報記入領域１１４に印字された隠蔽情報１１４ａが往復用送付体１０１の送付元に伝達されることになる。
【００４６】
このように本形態においては、１つのはがき紙片１１０を用いて往信及び返信を可能とし、かつ、１つの隠蔽片１２０を用いて、この往復用送付体１０１の送付元から送付先に伝達したい隠蔽情報１１３ａと、往復用送付体１０１の送付先から送付元に伝達したい隠蔽情報１１４ａとの両方を隠蔽することができる。
【００４７】
なお、本形態においては、粘着剤１１６，１２２を自己粘着性を有する高分子ポリマー等の同一の材料からなるものとしたが、互いにのみ貼着及び剥離可能であり、かつ、他の紙や樹脂等に貼着しないものであれば、同一材料のものでなくてもよい。例えば、溶剤の配合が互いに異なるものや他の混合物が混入しているもの等の類似な材料からなるものであってもよい。また、水とは混合しないポリマー粒子が、親水性と親油性を有する乳化剤が介在することにより安定的に共存したエマルジョンタイプのものであることが好ましい。
【００４８】
また、上述した２つの実施の形態においては、はがき紙片１０，１１０の長手方向における中央線を挟んで一方の側に宛先情報記載部１１，１１１が設けられ、また、はがき紙片１０，１１０の長手方向における中央線を挟んで他方の側に宛先情報記載部１２，１１２が設けられ、さらに、情報付与領域１５，１１５が、宛先情報記載部１１，１１１と宛先情報記載部１２，１１２との間にはがき紙片１０，１１０の長手方向における中央線を跨って設けられているが、本発明は、このようにはがき紙片１０，１１０の長手方向における中央線を用いたものに限らず、はがき紙片１０，１１０を長手方向に分離する分離線を用いたものであればよい。
【００４９】
また、上述した２つの実施の形態においては、往復用送付体１，１０１の送信時に情報が記載される情報記載領域１３，１１３と、往復用送付体１，１０１の返信時に情報が記入される情報記入領域１４，１１４とから情報付与領域１５，１１５が構成されているが、情報記載領域１３，１１３と情報記入領域１４，１１４とのいずれか一方から情報付与領域１５，１１５を構成することも考えられる。情報記載領域１３，１１３のみから情報付与領域１５，１１５を構成した場合は、往復用送付体１，１０１の送付元から送付先に伝達したい隠蔽情報１３ａ，１１３ａが隠蔽されることになり、また、情報記入領域１４，１１４のみから情報付与領域１５，１１５を構成した場合は、往復用送付体１，１０１の送付先から送付元に伝達したい隠蔽情報１４ａ，１１４ａが隠蔽されることになる。
【図面の簡単な説明】
【００５０】
【図１】本発明の往復用送付体の第１の実施の形態を示す図であり、（ａ）は表面から見た図、（ｂ）は（ａ）に示したＡ−Ａ’断面図、（ｃ）は（ａ）に示した隠蔽片を剥離した状態を示す図である。
【図２】図１に示した往復用送付体を送付する際の送付元における処理を説明するための図であり、（ａ）は送付元にてはがき紙片に隠蔽片が貼着される前の状態を示す図、（ｂ）は送付元にてはがき紙片に隠蔽片が貼着された状態を示す図である。
【図３】図１に示した往復用送付体を送付した際の送付先における処理を説明するための図であり、（ａ）は送付先にてはがき紙片から隠蔽片が剥離された後の処理を説明するための図、（ｂ）は送付先にてはがき紙片に隠蔽片が貼着された状態を示す図、（ｃ）は（ｂ）に示したＡ−Ａ’断面図である。
【図４】本発明の往復用送付体の第２の実施の形態を示す図であり、（ａ）は表面から見た図、（ｂ）は（ａ）に示したＡ−Ａ’断面図、（ｃ）は（ａ）に示した隠蔽片を剥離した状態を示す図である。
【図５】図４に示した往復用送付体を送付する際の送付元における処理を説明するための図であり、（ａ）は送付元にてはがき紙片に隠蔽片が貼着される前の状態を示す図、（ｂ）は送付元にてはがき紙片に隠蔽片が貼着された状態を示す図である。
【図６】図４に示した往復用送付体を送付した際の送付先における処理を説明するための図であり、（ａ）は送付先にてはがき紙片から隠蔽片が剥離された後の処理を説明するための図、（ｂ）は送付先にてはがき紙片に隠蔽片が貼着された状態を示す図、（ｃ）は（ｂ）に示したＡ−Ａ’断面図である。
【符号の説明】
【００５１】
１，１０１    往復用送付体
１０，１１０    はがき紙片
１１，１２，１１１，１１２    宛先情報記載部
１１ａ，１２ａ，１１１ａ，１１２ａ    宛先情報
１３，１１３    情報記載領域
１３ａ，１４ａ，１１３ａ，１１４ａ    隠蔽情報
１４，１１４    情報記入領域
１５，１１５    情報付与領域
２０，１２０    隠蔽片
２１，１２１    ラベル基材
２２，１１６，１２２    粘着剤
１１７    ベース基材
【図１】
2006347105.tif 000003
【図２】
2006347105.tif 000004
【図３】
2006347105.tif 000005
【図４】
2006347105.tif 000006
【図５】
2006347105.tif 000007
【図６】
2006347105.tif 000008